(57)【要約】【課題】携帯端末の利用者が情報を受け取った時点で、その利用者が置かれている環境に即した情報の配信が可能な情報配信装置を提供する。【解決手段】複数の場所に設置された地域設置装置のうち、携帯端末２０の利用者を特定する利用者特定情報を利用者特定情報格納部２１１から読み取った地域設置装置３０によって、上記利用者特定情報と当該地域設置装置３０を特定する地域設置装置特定情報とが情報配信装置１０に送信される。情報配信装置１０において、特定情報受信部１１１が上記利用者特定情報と上記地域設置装置特定情報を受信し、情報選択部１１３が情報格納部１１２から上記地域設置装置特定情報に対応する情報を選択し、送信先情報選択部１１５が、送信先情報格納部１１４から上記利用者特定情報に対応する送信先情報を選択する。情報送信部１１６は、情報選択部１１３によって選択された情報を、送信先情報選択部１１５によって選択された送信先情報が示す送信先に送信する。【選択図】図１
2004096365.tif 000002
【特許請求の範囲】
【請求項１】
携帯端末に情報を配信する情報配信装置において、
複数の場所に設置された地域設置装置のうちいずれかによって携帯端末に搭載された情報記憶媒体から当該携帯端末の利用者を特定する利用者特定情報が読み取られ、前記利用者特定情報を読み取った地域設置装置によって送信される当該利用者特定情報と当該地域設置装置を特定する地域設置装置特定情報とを受信する特定情報受信手段と、
携帯端末に配信する情報を前記複数の場所に設置された地域設置装置のそれぞれを特定する地域設置装置特定情報に対応付けて格納している情報格納手段と、
携帯端末に情報を配信するための送信先情報を携帯端末の利用者を特定する利用者特定情報に対応付けて格納している送信先情報格納手段と、
前記情報格納手段から、前記特定情報受信手段によって受信された前記地域設置装置特定情報に対応する情報を選択する情報選択手段と、
前記送信先情報格納手段から、前記特定情報受信手段によって受信された前記利用者特定情報に対応する送信先情報を選択する送信先情報選択手段と、
前記情報選択手段によって選択された情報を、前記送信先情報選択手段によって選択された送信先情報の示す送信先に送信する情報送信手段と、
を備えることを特徴とする情報配信装置。
【請求項２】
前記情報配信装置に備えられた情報格納手段には、前記複数の場所に設置された地域設置装置のそれぞれが設置されている場所の周辺情報が当該複数の場所に設置された地域設置装置のそれぞれを特定する地域設置装置特定情報に対応付けて格納されていることを特徴とする請求項１に記載の情報配信装置。
【請求項３】
前記情報配信装置に備えられた情報格納手段には、前記複数の場所に設置された地域設置装置のそれぞれが設置されている店舗に関する店舗情報が当該複数の場所に設置された地域設置装置のそれぞれを特定する地域設置装置特定情報に対応付けて格納されていることを特徴とする請求項１に記載の情報配信装置。
【請求項４】
情報記憶媒体としてＩＣチップを搭載した携帯端末と、前記携帯端末に搭載されたＩＣチップから情報を読み取るＩＣチップリーダライタを備えた地域設置装置と、請求項１〜３いずれか１項に記載の情報配信装置を備えることを特徴とする情報配信システム。
【請求項５】
情報配信装置が携帯端末に情報を配信する情報配信方法において、
複数の場所に設置された地域設置装置のうちいずれかによって携帯端末に搭載された情報記憶媒体から当該携帯端末の利用者を特定する利用者特定情報が読み取られ、前記利用者特定情報を読み取った地域設置装置によって送信される当該利用者特定情報と当該地域設置装置を特定する地域設置装置特定情報とを、前記情報配信装置に備えられた特定情報受信手段が受信する特定情報受信ステップと、
前記情報配信装置に備えられた情報選択手段が、携帯端末に配信する情報を前記複数の場所に設置された地域設置装置のそれぞれを特定する地域設置装置特定情報に対応付けて格納している情報格納手段から、前記特定情報受信手段によって受信された前記地域設置装置特定情報に対応する情報を選択する情報選択ステップと、
前記情報配信装置に備えられた送信先情報選択手段が、携帯端末に情報を配信するための送信先情報を携帯端末の利用者を特定する利用者特定情報に対応付けて格納している送信先情報格納手段から、前記特定情報受信手段によって受信された前記利用者特定情報に対応する送信先情報を選択する送信先情報選択ステップと、
前記情報配信装置に備えられた情報送信手段が、前記情報選択手段によって選択された情報を、前記送信先情報選択手段によって選択された送信先情報の示す送信先に送信する情報送信ステップと、
を備えることを特徴とする情報配信方法。
【請求項６】
前記情報格納手段には、前記複数の場所に設置された地域設置装置のそれぞれが設置されている場所の周辺情報が当該複数の場所に設置された地域設置装置のそれぞれを特定する地域設置装置特定情報に対応付けて格納されており、
前記情報選択ステップにおいて、前記情報選択手段が前記情報格納手段に格納されている情報の中から前記特定情報受信手段によって受信された地域設置装置特定情報に対応する周辺情報を選択し、
前記情報送信ステップにおいて、前記情報送信手段が、前記情報選択手段によって選択された周辺情報を前記携帯端末に送信することを特徴とする請求項５に記載の情報配信方法。
【請求項７】
前記情報格納手段には、前記複数の場所に設置された地域設置装置のそれぞれが設置されている店舗に関する店舗情報が当該複数の場所に設置された地域設置装置のそれぞれを特定する地域設置装置特定情報に対応付けて格納されており、
前記情報選択ステップにおいて、前記情報選択手段が前記情報格納手段に格納されている情報の中から前記特定情報受信手段によって受信された地域設置装置特定情報に対応する店舗情報を選択し、
前記情報送信ステップにおいて、前記情報送信手段が、前記情報選択手段によって選択された店舗情報を前記携帯端末に送信することを特徴とする請求項５に記載の情報配信方法。
【発明の詳細な説明】
【０００１】
【発明の属する技術分野】
本発明は、携帯端末へ情報を配信する情報配信装置、情報配信システム、及び情報配信方法に関する。
【０００２】
【従来の技術】
従来の情報配信システムとしては、情報配信装置から情報が配信されることを希望する利用者が情報配信装置に登録を行い、情報配信装置が登録された利用者の所有する携帯端末に対して、情報配信装置に登録された情報を配信する情報配信システムが提案されている。
【０００３】
【発明が解決しようとする課題】
しかし、従来の情報配信システムでは、情報配信装置が登録された利用者に対して情報を無作為かつ大量に配信するために、配信された情報が、その情報を受信した時点での利用者が置かれている環境に即していないという問題点を有していた。
【０００４】
そこで、本発明は上記問題点を解決し、携帯端末の利用者が情報を受け取った時点での、その利用者が置かれている環境に即した情報を配信可能な情報配信装置、情報配信システム、及び、情報配信方法を提供することを課題としている。
【０００５】
【課題を解決するための手段】
上記課題を解決するため、本発明の情報配信装置は、携帯端末に情報を配信する情報配信装置であって、複数の場所に設置された地域設置装置のうちいずれかによって携帯端末に搭載された情報記憶媒体から当該携帯端末の利用者を特定する利用者特定情報が読み取られ、上記利用者特定情報を読み取った地域設置装置によって送信される当該利用者特定情報と当該地域設置装置を特定する地域設置装置特定情報とを受信する特定情報受信手段と、携帯端末に配信する情報を上記複数の場所に設置された地域設置装置のそれぞれを特定する地域設置装置特定情報に対応付けて格納している情報格納手段と、携帯端末に情報を配信するための送信先情報を携帯端末の利用者を特定する利用者特定情報に対応付けて格納している送信先情報格納手段と、上記情報格納手段から、上記特定情報受信手段によって受信された上記地域設置装置特定情報に対応する情報を選択する情報選択手段と、上記送信先情報格納手段から、上記特定情報受信手段によって受信された上記利用者特定情報に対応する送信先情報を選択する送信先情報選択手段と、上記情報選択手段によって選択された情報を、上記送信先情報選択手段によって選択された送信先情報の示す送信先に送信する情報送信手段とを備える。
【０００６】
本発明の情報配信装置によれば、上記地域設置装置によって上記携帯端末に搭載された情報記憶媒体から利用者特定情報が読み取られ、当該利用者特定情報と上記地域設置装置を特定する地域設置装置特定情報とが情報配信装置に送信される。すると、情報配信装置では特定情報受信手段が上記利用者特定情報と上記地域設置装置特定情報とを受信する。そして、情報選択手段が情報格納手段に格納されている情報の中から上記地域設置装置特定情報に対応する情報を選択する。また、送信先情報選択手段が、送信先情報格納手段に格納されている送信先情報の中から、上記利用者特定情報に対応する送信先情報を選択する。そして、情報送信手段が、情報選択手段によって選択された情報を、送信先情報選択手段によって選択された送信先情報の示す送信先に送信する。したがって、上記情報格納手段に、上記地域設置装置特定情報に対応付けて上記地域設置装置の設置された環境に関連する情報を格納しておけば、携帯端末の利用者に当該利用者が現在置かれている環境に即した情報を配信することが可能となる。
【０００７】
また、本発明の情報配信装置は、上記情報配信装置に備えられた情報格納手段に、上記複数の場所に設置された地域設置装置のそれぞれが設置されている場所の周辺情報を当該複数の場所に設置された地域設置装置のそれぞれを特定する地域設置装置特定情報に対応付けて格納しても良い。
【０００８】
本発明の情報配信装置によれば、情報格納手段には、複数の場所に設置された地域設置装置それぞれを特定する地域設置装置特定情報に対応付けて、それぞれの地域設置装置が設置された場所の周辺情報が格納されている。したがって、情報配信装置が携帯端末に送信する情報は、携帯端末から利用者特定情報を読み取った地域設置装置の設置された場所の周辺情報となる。すなわち、上記携帯端末の利用者に、当該利用者が現在置かれている環境に即した情報として、その利用者が携帯する携帯端末から利用者特定情報を読み取った地域設置装置が設置されている場所の周辺情報を配信することが可能となる。
【０００９】
また、本発明の情報配信装置は、上記情報配信装置に備えられた情報格納手段に、上記複数の場所に設置された地域設置装置のそれぞれが設置されている店舗に関する店舗情報を当該複数の場所に設置された地域設置装置のそれぞれを特定する地域設置装置特定情報に対応付けて格納しても良い。
【００１０】
本発明の情報配信装置によれば、情報格納手段には、複数の場所に設置された地域設置装置それぞれを特定する地域設置装置特定情報に対応付けて、それぞれの地域設置装置が設置された店舗に関する店舗情報が格納されている。したがって、情報配信装置が携帯端末に送信する情報は、携帯端末から利用者特定情報を読み取った地域設置装置の設置された店舗に関する店舗情報となる。すなわち、上記携帯端末の利用者に、当該利用者が現在置かれている環境に即した情報として、その利用者が携帯する携帯端末から利用者特定情報を読み取った地域設置装置が設置されている店舗に関する店舗情報を配信することが可能となる。
【００１１】
また、本発明の情報配信システムは、情報記憶媒体としてＩＣチップを搭載した携帯端末と、上記携帯端末に搭載されたＩＣチップから情報を読み取るＩＣチップリーダライタを備えた地域設置装置と、上記本発明の情報配信装置を備えることを特徴とする。
【００１２】
本発明の情報配信システムによれば、携帯端末の利用者を特定する利用者特定情報を格納したＩＣチップを携帯端末に搭載し、当該利用者特定情報を読み取るＩＣチップリーダライタを備えた地域設置装置を店舗の入り口などのような特定の場所に設置したり、ＩＣチップリーダライタを備えたＰＯＳ端末を店舗に備えて地域設置装置とする。すると、上記携帯端末に搭載されたＩＣチップから利用者特定情報が地域設置装置によって読み取られ、当該地域設置装置を特定する地域設置装置特定情報とともに上記利用者特定情報が情報配信装置に送信される。上記利用者特定情報と上記地域設置装置特定情報を受信した情報配信装置は、上記地域設置装置特定情報に基づいて選択される情報を、上記利用者特定情報に基づいて特定される送信先に送信する。したがって、近年普及しているＩＣチップ及びＩＣチップリーダライタを用いることで、情報配信装置が上記携帯端末の利用者が置かれている環境に即した情報を配信する情報配信システムを簡易に構築することが可能となる。
【００１３】
また、本発明の情報配信方法は、情報配信装置が携帯端末に情報を配信する情報配信方法であって、複数の場所に設置された地域設置装置のうちいずれかによって携帯端末に搭載された情報記憶媒体から当該携帯端末の利用者を特定する利用者特定情報が読み取られ、上記利用者特定情報を読み取った地域設置装置によって送信される当該利用者特定情報と当該地域設置装置を特定する地域設置装置特定情報とを、上記情報配信装置に備えられた特定情報受信手段が受信する特定情報受信ステップと、上記情報配信装置に備えられた情報選択手段が、携帯端末に配信する情報を上記複数の場所に設置された地域設置装置のそれぞれを特定する地域設置装置特定情報に対応付けて格納している情報格納手段から、上記特定情報受信手段によって受信された上記地域設置装置特定情報に対応する情報を選択する情報選択ステップと、上記情報配信装置に備えられた送信先情報選択手段が、携帯端末に情報を配信するための送信先情報を携帯端末の利用者を特定する利用者特定情報に対応付けて格納している送信先情報格納手段から、上記特定情報受信手段によって受信された上記利用者特定情報に対応する送信先情報を選択する送信先情報選択ステップと、上記情報配信装置に備えられた情報送信手段が、上記情報選択手段によって選択された情報を、上記送信先情報選択手段によって選択された送信先情報の示す送信先に送信する情報送信ステップとを備える。
【００１４】
本発明の情報配信方法によれば、上記地域設置装置によって上記携帯端末に搭載された情報記憶媒体から利用者特定情報が読み取られ、当該利用者特定情報と上記地域設置装置を特定する地域設置装置特定情報とが情報配信装置に送信される。すると、情報配信装置では特定情報受信手段が上記利用者特定情報と上記地域設置装置特定情報とを受信する。そして、情報選択手段が情報格納手段に格納されている情報の中から上記地域設置装置特定情報に対応する情報を選択する。また、送信先情報選択手段が、送信先情報格納手段に格納されている送信先情報の中から、上記利用者特定情報に対応する送信先情報を選択する。そして、情報送信手段が、情報選択手段によって選択された情報を、送信先情報選択手段によって選択された送信先情報の示す送信先に送信する。したがって、上記情報格納手段に、上記地域設置装置特定情報に対応付けて上記地域設置装置の設置された環境に関連する情報を格納しておけば、携帯端末の利用者に当該利用者が現在置かれている環境に即した情報を配信することが可能となる。
【００１５】
また、本発明の情報配信方法は、上記情報格納手段に、上記複数の場所に設置された地域設置装置のそれぞれが設置されている場所の周辺情報が当該複数の場所に設置された地域設置装置のそれぞれを特定する地域設置装置特定情報に対応付けて格納しておき、上記情報選択ステップにおいて、上記情報選択手段が上記情報格納手段に格納されている情報の中から上記特定情報受信手段によって受信された地域設置装置特定情報に対応する周辺情報を選択し、上記情報送信ステップにおいて、上記情報送信手段が、上記情報選択手段によって選択された周辺情報を上記携帯端末に送信するようにしても良い。
【００１６】
本発明の情報配信方法によれば、情報格納手段には、複数の場所に設置された地域設置装置それぞれを特定する地域設置装置特定情報に対応付けて、それぞれの地域設置装置が設置された場所の周辺情報が格納されている。したがって、情報配信装置が携帯端末に送信する情報は、携帯端末から利用者特定情報を読み取った地域設置装置の設置された場所の周辺情報となる。すなわち、上記携帯端末の利用者に、当該利用者が現在置かれている環境に即した情報として、その利用者が携帯する携帯端末から利用者特定情報を読み取った地域設置装置が設置されている場所の周辺情報を配信することが可能となる。
【００１７】
また、本発明の情報配信方法は、上記情報格納手段に、上記複数の場所に設置された地域設置装置のそれぞれが設置されている場所の周辺情報が当該複数の場所に設置された地域設置装置のそれぞれを特定する地域設置装置特定情報に対応付けて格納しておき、上記情報選択ステップにおいて、上記情報選択手段が上記情報格納手段に格納されている情報の中から上記特定情報受信手段によって受信された地域設置装置特定情報に対応する周辺情報を選択し、上記情報送信ステップにおいて、上記情報送信手段が、上記情報選択手段によって選択された周辺情報を上記携帯端末に送信するようにしても良い。
【００１８】
本発明の情報配信方法によれば、情報格納手段には、複数の場所に設置された地域設置装置それぞれを特定する地域設置装置特定情報に対応付けて、それぞれの地域設置装置が設置された店舗に関する店舗情報が格納されている。したがって、情報配信装置が携帯端末に送信する情報は、携帯端末から利用者特定情報を読み取った地域設置装置の設置された店舗に関する店舗情報となる。すなわち、上記携帯端末の利用者に、当該利用者が現在置かれている環境に即した情報として、その利用者が携帯する携帯端末から利用者特定情報を読み取った地域設置装置が設置されている店舗に関する店舗情報を配信することが可能となる。
【００１９】
【発明の実施の形態】
本発明の実施形態にかかる情報配信システム１について添付の図面を参照して説明する。図１は本実施形態にかかる情報配信システム１を説明するための図である。本実施形態にかかる情報配信システム１において、情報配信装置１０は、携帯端末２０及び複数の場所にそれぞれ設置された地域設置装置３０、３１、３２・・・と通信可能に構成されている。
【００２０】
携帯端末２０は、本実施形態にかかる情報配信システム１において情報配信装置１０から情報の提供を受ける利用者が携帯する端末であって、携帯電話等の移動通信端末や、ＰＤＡ（Ｐｅｒｓｏｎａｌ　Ｄｉｇｉｔａｌ　Ａｓｓｉｓｔａｎｔｓ）に代表される通信可能な携帯情報端末が広く対象となる。携帯端末２０は物理的には、ＣＰＵ、メモリ、表示装置、入力装置、通信装置等を備えて構成され、更に情報記憶媒体２０１を搭載している。情報記憶媒体２０１は、半導体メモリにより構成されるＩＣチップのように情報を格納することが可能であって、地域設置装置３０から情報の読み込みや書込みが可能な情報記憶媒体である。なお、情報記憶媒体２０１は、ＩＣチップを組み込んだＩＣカードであってもよい。
【００２１】
携帯端末２０は機能的には、利用者特定情報格納部（利用者特定情報格納手段）２１１、情報受信部（情報受信手段）２１２を備えて構成される。利用者特定情報格納部２１１は、携帯端末２０の利用者を特定するための利用者ＩＤといった利用者特定情報を格納しており、情報記憶媒体２０１に利用者特定情報をデータとして格納することで実現されている。なお、情報記憶媒体２０１には、利用者特定情報の他に、電子マネーなどの情報を格納しておいてもよい。
【００２２】
情報受信部２１２は、携帯端末２０に備えた通信装置を介して情報配信装置１０から送信される情報を受信する。情報受信部２１２によって受信された情報は、携帯端末２０の表示装置に表示され、携帯端末２０の利用者は情報配信装置１０から送信される情報を知ることができる。
【００２３】
地域設置装置３０は、携帯端末２０に搭載された情報記憶媒体２０１から携帯端末２０の利用者を特定する利用者特定情報を読み取り、この利用者特定情報と地域設置装置３０を特定する地域設置装置特定情報とを情報配信装置１０に送信する。地域設置装置３０は、物理的には、ＩＣチップリーダライタなどの読取装置と情報配信装置１０との通信を行う通信装置を備えて構成される。なお、情報記憶媒体２０１と地域設置装置３０に備えた読取装置は、接触式のＩＣチップとＩＣチップリーダライタのように、地域設置装置３０に備えた読取装置が情報記憶媒体２０１に物理的に接続されて情報記憶媒体２０１に格納されている情報を読み取ってもよく、または非接触式のＩＣチップとＩＣチップリーダライタのように、地域設置装置２０に備えた読取装置が情報記憶媒体２０１と互いに電波を送受信することによって非接触に情報記憶媒体２０１に格納されている情報を読み取ってもよい。
【００２４】
地域設置装置３０は機能的には、利用者特定情報読取部（利用者特定情報読取手段）３１１、特定情報送信部（特定情報送信手段）３１２を備えて構成される。
【００２５】
利用者特定情報読取部３１１は、携帯端末２０に備えられた利用者特定情報格納部２１１から、携帯端末２０の利用者を特定する利用者特定情報を読み取る。また、当該利用者特定情報を特定情報送信部３１２に出力する。
【００２６】
特定情報送信部３１２は、利用者特定情報読取部３１１から受け取った利用者特定情報と、地域設置装置３０を特定するための地域設置装置ＩＤといった地域設置装置特定情報とを、情報配信装置１０に送信する。
【００２７】
なお、地域設置装置３０は、上記読取装置と通信装置を備えたＰＯＳ端末などであってもよい。この場合には、上記利用者が店舗において購入などの取引を行う際に、携帯端末２０の情報記憶媒体２０１に格納されている電子マネー情報を上記読取装置で読み取って決済を行う。また、これと共に、利用者特定情報読取部３１１が携帯端末２０に備えられた利用者特定情報格納部２１１から携帯端末２０の利用者を特定する利用者特定情報を読み取る。そして、この決済をトリガとして、特定情報送信部３１２が上記利用者特定情報と地域設置装置３０を特定するための地域設置装置特定情報とを情報配信装置１０に送信する。
【００２８】
地域設置装置３１、３２・・・は、地域設置装置３０と同様の構成をとり、店舗等の複数の場所にそれぞれ設置されている。
【００２９】
情報配信装置１０は、当該情報配信装置１０に登録された情報を携帯端末に対して配信する。情報配信装置１０は物理的には、ＣＰＵ、メモリ、ハードディスク、通信装置、ディスプレイといった表示装置、キーボードやマウスといった入力装置を備えて構成されるコンピュータシステムである。
【００３０】
情報配信装置１０は機能的には、特定情報受信部（特定情報受信手段）１１１、情報格納部（情報格納手段）１１２、情報選択部（情報選択手段）１１３、送信先情報格納部（送信先情報格納手段）１１４、送信先情報選択部（送信先情報選択手段）１１５、情報送信部（情報送信手段）１１６を備えて構成される。以下、情報配信装置１０の機能的な構成要素を詳細に説明する。
【００３１】
特定情報受信部１１１は、地域設置装置３０の特定情報送信部３１２によって送信される携帯端末２０の利用者を特定する利用者特定情報と、地域設置装置３０を特定する地域設置装置特定情報を受信する。また、地域設置装置特定情報を情報選択部１１３に出力し、利用者特定情報を送信先情報選択部１１５に出力する。
【００３２】
情報格納部１１２は、情報配信装置１０に登録された情報を、複数の場所に設置された地域設置装置のそれぞれを特定する地域設置装置特定情報に対応付けて格納している。情報格納部１１２における情報格納形式の例を図２に示す。図２に示す情報格納部１１２では、地域設置装置特定情報として地域設置装置ＩＤが使用されており、地域設置装置ＩＤに対応づけて情報格納部１１２に格納されている情報の情報種別が格納されている。そして、上記情報種別の指示する先には当該情報種別に対応する情報が格納されている。この情報としては、例えば図２に示すように地域設置装置の設置された店舗についての店舗情報や、地域設置装置の設置された場所の周辺情報等といった地域設置装置の設置された環境に関連する情報が格納されている。
【００３３】
情報選択部１１３は、特定情報受信部１１１から出力された地域設置装置特定情報に基づいて、情報格納部１１２に格納されている情報の中から、携帯端末２０に配信する情報を選択し、情報送信部１１６に出力する。例えば、特定情報受信部１１１から出力された地域設置装置ＩＤが「０００１」であれば、情報選択部１１３は、図２に示す形式で情報を格納している情報格納部１１２から、地域設置装置ＩＤ「０００１」に対応付けられた情報種別「ａ」を選択し、情報種別「ａ」が指示する情報を選択して、情報送信部１１６に出力する。
【００３４】
送信先情報格納部１１４は、携帯端末の利用者を特定する利用者特定情報に当該携帯端末への情報の送信先を示す送信先情報を対応付けて格納している。図３に送信先情報格納部１１４における送信先情報の格納形式の一例を示す。図３に示す送信先情報格納部１１４では、利用者特定情報として利用者ＩＤが使用されており、当該利用者ＩＤに対応付けて当該利用者の携帯する携帯端末への情報の送信先を示す送信先情報であるメールアドレスが格納している。
【００３５】
送信先情報選択部１１５は、送信先情報格納部１１４に格納された送信先情報の中から、特定情報受信部１１１から出力された利用者特定情報に基づいて、送信先情報を選択し、情報送信部１１６に出力する。例えば、携帯端末２０を利用する利用者を特定する利用者ＩＤが「０００１」であれば、送信先情報選択部１１５は、図３に示す送信先情報格納部１１４から利用者ＩＤ「０００１」に対応付けられたメールアドレス「ａｂｃ＠ｄｅｆ．ｃｏｍ」を選択し、情報送信部１１６に出力する。
【００３６】
情報送信部１１６は、情報選択部１１３によって選択された情報を、送信先情報選択部１１５によって選択された送信先情報が示す送信先へ送信する。例えば、携帯端末２０を利用する利用者の利用者ＩＤが「０００１」であり、当該利用者ＩＤを読み取った地域設置装置３０を特定する地域設置装置ＩＤが「０００１」の場合、情報送信部１１６は、地域設置装置ＩＤ「０００１」に対応付けられている情報種別「ａ」の指し示す情報を、利用者ＩＤ「０００１」によって特定されたメールアドレス「ａｂｃ＠ｄｅｆ．ｃｏｍ」に送信する。
【００３７】
次に、本発明の実施形態にかかる情報配信システム１の動作について説明し、併せて、本実施形態にかかる情報配信システム１による情報配信方法について説明する。図４は、本実施形態にかかる情報配信方法を説明するフローチャートである。
【００３８】
携帯端末２０の利用者が、携帯端末２０を携帯して、店舗の入り口などの特定の場所を通過したり、又は、店舗において購入を行ったりする。利用者が店舗の入り口を通過したり、又は利用者が店舗において購入を行って決済を行う際に、地域設置装置３０の利用者特定情報読取部３１１が、携帯端末２０の利用者特定情報格納部２１１から、携帯端末２０の利用者特定情報を読み取り、特定情報送信部３１２に出力する（ステップＳ０１）。特定情報送信部３１２が、利用者特定情報読取部３１１によって出力された利用者特定情報と、地域設置装置３０を特定する地域設置装置特定情報を情報配信装置１０に送信する（ステップＳ０２）。
【００３９】
情報配信装置１０の特定情報受信部１１１が、地域設置装置３０の特定情報送信部３１２によって送信された利用者特定情報と地域設置装置特定情報を受信して、上記地域設置装置特定情報を情報選択部１１３に出力し、上記利用者特定情報を送信先情報選択部１１５に出力する（ステップＳ０３）。情報選択部１１３が情報格納部１１２に格納されている情報の中から、特定情報受信部１１１によって出力された地域設置装置特定情報に対応する情報を選択し、情報送信部１１６に出力する（ステップＳ０４）。送信先情報選択部１１５が、送信先情報格納部３１２に格納されている送信先情報の中から、特定情報受信部１１１によって出力された利用者特定情報に対応する送信先情報を選択し、情報送信部１１６に出力する（ステップＳ０５）。情報送信部１１６は、情報選択部１１３によって選択された情報を、送信先情報選択部１１５によって選択された送信先情報の示す送信先に送信する（ステップＳ０６）。
【００４０】
携帯端末２０の情報受信部２１２は、情報配信装置１０の情報送信部１１６によって送信された情報を受信する（ステップＳ０７）。情報受信部２１２によって受信された情報は、携帯端末２０の表示装置に表示され、携帯端末２０の利用者は、表示装置に表示された情報を見ることによって、当該利用者が置かれている環境に関連した情報として、地域設置装置３０の設置された場所の周辺情報や地域設置装置３０の設置された店舗に関する店舗情報を知ることができる。
【００４１】
以下、本発明の実施形態にかかる情報配信システム１の作用及び効果を説明する。併せて、情報配信システム１における情報配信装置１０の作用及び効果を説明する。
【００４２】
地域設置装置３０の利用者特定情報読取部３１１によって、携帯端末２０の利用者特定情報格納部１１１から携帯端末２０の利用者特定情報が読み取られる。上記利用者特定情報は、地域設置装置３０の特定情報送信部３１２によって、地域設置装置３０の地域設置装置特定情報とともに情報配信装置１０に送信される。すると、情報配信装置１０の特定情報受信部１１１は、上記利用者特定情報と上記地域設置装置特定情報を受信する。そして、情報選択部１１３は、情報格納部１１２に格納されている情報の中から、特定情報受信部１１１によって受信された上記地域設置装置特定情報に対応する情報を選択し、情報送信部１１６に出力する。また、送信先情報選択部１１５は、送信先情報格納部１１４に格納されている送信先情報の中から、特定情報受信部１１１によって受信された利用者特定情報に対応する送信先情報を選択し、情報送信部１１６に出力する。そして、情報送信部１１６は、送信先情報選択部１１５によって選択された送信先情報が示す送信先に、情報選択部１１３によって選択された情報を送信する。したがって、情報格納部１１２に地域設置装置の設置されている環境に関連する情報として、地域設置装置の設置された場所の周辺情報を格納しておけば、携帯端末２０の利用者に、地域設置装置３０の設置された場所の周辺情報を配信することが可能となる。また、情報格納部３１５に地域設置装置の設置された店舗の店舗情報を格納しておけば、携帯端末２０の利用者に地域設置装置３０の設置された店舗についての特売情報といったような情報を配信することが可能となる。以上のように、情報配信装置１０が、地域設置装置３０の設置された場所で行動する携帯端末２０の利用者に、当該利用者の現在置かれている環境に即した情報を配信することが可能となる。
【００４３】
また、携帯端末２０の利用者を特定する利用者特定情報を格納したＩＣチップを携帯端末２０に搭載し、当該利用者特定情報を読み取るＩＣチップリーダライタを備えた地域設置装置３０を店舗の入り口などのような特定の場所に設置したり、ＩＣチップリーダライタを備えたＰＯＳ端末を店舗に備えて地域設置装置３０とする。すると、携帯端末２０に搭載されたＩＣチップから利用者特定情報が地域設置装置３０によって読み取られ、当該地域設置装置３０を特定する地域設置装置特定情報とともに上記利用者特定情報が情報配信装置１０に送信される。上記利用者特定情報と上記地域設置装置特定情報を受信した情報配信装置１０は、上記地域設置装置特定情報に基づいて選択される情報を、上記利用者特定情報に基づいて特定される送信先に送信する。したがって、近年普及しているＩＣチップ及びＩＣチップリーダライタを用いることで、情報配信装置１０が携帯端末２０の利用者が置かれている環境に即した情報を配信する情報配信システム１を簡易に構築することが可能となる。
【００４４】
【発明の効果】
本発明によれば、携帯端末に搭載された情報記憶媒体に記録されている当該携帯端末の利用者を特定する利用者特定情報が地域設置装置によって読み取られる。そして、地域設置装置によって上記利用者特定情報と、当該地域設置装置を特定する地域設置装置特定情報とが、情報配信装置に送信される。すると、情報配信装置では、情報選択手段が、情報格納手段に地域設置装置特定情報に対応付けて格納されている情報の中から、上記地域設置装置特定情報に対応する情報を選択する。また、送信先情報選択手段が、送信先情報格納手段に利用者特定情報に対応付けて格納されている送信先情報の中から、上記利用者特定情報に対応する送信先情報を選択する。そして、情報送信手段が、上記情報選択手段によって選択された情報を、上記送信先情報選択手段によって選択された送信先情報の示す送信先に送信する。したがって、上記地域設置装置特定情報に対応付けて、当該地域設置装置の設置された位置の周辺情報や店舗情報などの地域設置装置の設置された環境に関連する情報を格納しておけば、上記携帯端末を利用する利用者は、上記地域設置装置の設置された場所で行動している時に、当該地域設置装置の設置された環境に関連した情報を取得できる。以上のように、情報配信装置が、当該携帯端末の利用者が情報を受け取った時点での、その利用者が置かれている環境に即した情報を配信することが可能となる。
【図面の簡単な説明】
【図１】本発明の実施形態にかかる情報配信システム、及び情報配信システムにおける情報配信装置を説明するための図である。
【図２】本発明の実施形態にかかる情報配信装置に備えられた情報格納部における情報格納形式を示す図である。
【図３】本発明の実施形態にかかる情報配信装置に備えられた送信先情報格納部における送信先情報の格納形式を示す図である。
【図４】本発明の実施形態にかかる情報配信方法のフローチャートである。
【符号の説明】
１…情報配信システム、１０…情報配信装置、１１１…特定情報受信部、１１２…情報格納部、１１３…情報選択部、１１４…送信先情報格納部、１１５・・・送信先情報選択部、１１６・・・情報送信部、２０…携帯端末、２０１…情報記憶媒体、２１１…利用者特定情報格納部、２１２…情報受信部、３０，３１，３２…地域設置装置、３１１…利用者特定情報読取部、３１２…特定情報送信部、
【図１】
2004096365.tif 000003
【図２】
2004096365.tif 000004
【図３】
2004096365.tif 000005
【図４】
2004096365.tif 000006